(57)【要約】【課題】赤外線リモコンを用いた操作を安定して受け付けることができないおそれがあることを解決する画像表示装置、画像表示方法及びプログラムを提供する。【解決手段】液晶パネルと、前記液晶パネルを背面から照射する光源を有するバックライト装置と、前記液晶パネルの背面側に配置され、リモートコントローラから赤外線信号を受信する受光部と、前記受光部が赤外線信号を受信した場合、前記光源を消灯するとともに、前記液晶パネルの透過率を高くする制御部と、を備える。【選択図】図４
2016197801.tif 000002
【特許請求の範囲】
【請求項１】
液晶パネルと、
前記液晶パネルを背面から照射する光源を有するバックライト装置と、
前記液晶パネルの背面側に配置され、リモートコントローラから赤外線信号を受信する受光部と、
前記受光部が赤外線信号を受信した場合、前記光源を消灯するとともに、前記液晶パネルの透過率を高くする制御部と、
を備えることを特徴とする画像表示装置。
【請求項２】
前記バックライト装置は複数の光源を有し、
前記制御部は、前記受光部が赤外線信号を受信した場合、少なくとも前記複数の光源のうち前記受光部に最も近い位置に配置されている前記光源を消灯するとともに、前記液晶パネルのうち前記受光部を含む領域に対応する領域の透過率を高くする
ことを特徴とする請求項１に記載の画像表示装置。
【請求項３】
前記制御部は、前記受光部が赤外線信号を受信した場合、前記光源を消灯した後に、前記液晶パネルの透過率を高くする
ことを特徴とする請求項１または請求項２に記載の画像表示装置。
【請求項４】
前記制御部は、前記液晶パネルの透過率を高くする場合、画素の透過率を最大とする
ことを特徴とする請求項１から請求項３のいずれか１項に記載の画像表示装置。
【請求項５】
液晶パネルの背面側に配置され、リモートコントローラから赤外線信号を受信する受光部が赤外線信号を受信した場合、前記液晶パネルを背面から照射する光源を消灯するとともに、前記液晶パネルの透過率を高くする制御ステップ
を含むことを特徴とする画像表示方法。
【請求項６】
液晶パネルの背面側に配置され、リモートコントローラから赤外線信号を受信する受光部が赤外線信号を受信した場合、前記液晶パネルを背面から照射する光源を消灯するとともに、前記液晶パネルの透過率を高くする制御ステップ
をコンピュータに実行させるためのプログラム。
【発明の詳細な説明】
【技術分野】
【０００１】
本発明は、画像表示装置、画像表示方法及びプログラムに関する。
【背景技術】
【０００２】
赤外線リモコンを搭載した画像表示装置（液晶ディスプレイ）において、デザイン上やナローベゼル（狭額縁）等の制約のため、赤外線受光部をベゼル部分に配置できないことがある。この問題を解決するために画像表示装置の背面に赤外線受光部を配置すると、画像表示装置の正面から赤外光が届きにくくなる。そのため、画像表示装置の正面から赤外線リモコンを用いた操作が困難となってしまう。そこで、赤外線受光部を画像表示装置の外部に別途用意し、外部の赤外線受光部をケーブル等で画像表示装置に接続することで、画像表示装置の正面から赤外線リモコンを用いた操作を容易に行うことができるように対応していた。
【０００３】
また、赤外線受光部を外部に用意するのではなく、液晶パネル内の背面側に赤外線受光部を配置する構成も知られている。このような構成の場合、赤外線受光部は、バックライトの赤の波長成分の光の影響を受ける。そこで、この問題を解決する方法として特許文献１には、赤外線受光部がリモート信号を受信する際、リモート信号の検出タイミングをバックライトの消灯タイミングと同期させることにより、バックライトからの照明に含まれた赤の波長成分の光の影響を受けずにリモート信号を受信する方法が記載されている。
【先行技術文献】
【特許文献】
【０００４】
【特許文献１】特開２００９−２９０６７３号公報
【発明の概要】
【発明が解決しようとする課題】
【０００５】
しかしながら、特許文献１に記載の方法では、バックライトの影響を低減させることができるが、液晶パネルに表示される画像の影響を低減させることができない。そのため、液晶パネルに表示される画像によっては、赤外線リモコンを用いた操作を安定して受け付けることができないおそれがあるという問題点があった。
【０００６】
本発明の目的は、上述した課題である、赤外線リモコンを用いた操作を安定して受け付けることができないおそれがあることを解決する画像表示装置、画像表示方法及びプログラムを提供することにある。
【課題を解決するための手段】
【０００７】
本発明は、上記の課題を解決するためになされたものであり、本発明の一態様は、液晶パネルと、前記液晶パネルを背面から照射する光源を有するバックライト装置と、前記液晶パネルの背面側に配置され、リモートコントローラから赤外線信号を受信する受光部と、前記受光部が赤外線信号を受信した場合、前記光源を消灯するとともに、前記液晶パネルの透過率を高くする制御部と、を備えることを特徴とする画像表示装置である。
【０００８】
また、本発明の一態様は、液晶パネルの背面側に配置され、リモートコントローラから赤外線信号を受信する受光部が赤外線信号を受信した場合、前記液晶パネルを背面から照射する光源を消灯するとともに、前記液晶パネルの透過率を高くする制御ステップを含むことを特徴とする画像表示方法である。
【０００９】
また、本発明の一態様は、液晶パネルの背面側に配置され、リモートコントローラから赤外線信号を受信する受光部が赤外線信号を受信した場合、前記液晶パネルを背面から照射する光源を消灯するとともに、前記液晶パネルの透過率を高くする制御ステップをコンピュータに実行させるためのプログラムである。
【発明の効果】
【００１０】
本発明によれば、赤外線リモコンを用いた操作を安定して受け付けることができる。
【図面の簡単な説明】
【００１１】
【図１】第１の実施形態における画像表示装置の構成を示した概略図である。
【図２】第１の実施形態における画像表示装置の機能構成を示したブロック図である。
【図３】第１の実施形態における画像表示装置が実行する制御処理の処理手順を示したフローチャートである。
【図４】第２の実施形態における画像表示装置の機能構成を示したブロック図である。
【発明を実施するための形態】
【００１２】
（第１の実施形態）
以下、本発明の第１の実施形態について図面を参照しながら説明する。図１は、本実施形態における画像表示装置１００の構成を示した概略図である。図１（Ａ）は、画像表示装置１００の断面およびリモコン７を示した概略図である。また、図１（Ｂ）は、画像表示装置１００の正面概略図である。
【００１３】
図示するように、画像表示装置１００は、液晶パネル１と、拡散装置２と、バックライト装置３と、光源４と、受光部５と、ベゼル６とを備える。拡散装置２は、光を拡散させる拡散板を備え、バックライト装置３から液晶パネル１に照射される光を均一に保つ。バックライト装置３は、複数の光源４を備え、背面から液晶パネル１に光を照射する。光源４は、ＬＥＤ（Ｌｉｇｈｔ  Ｅｍｉｔｔｉｎｇ  Ｄｉｏｄｅ；発光ダイオード）であり、液晶パネル１に背面から光を照射する。受光部５は、リモコン７から送信される赤外線信号を受信する。リモコン７は、赤外線信号を送信することにより、画像表示装置１００を操作するリモートコントローラである。ベゼル６は、液晶パネル１を囲む枠であり、筐体の一部である。
【００１４】
液晶パネル１と、拡散装置２と、バックライト装置３と、光源４と、受光部５とは、ベゼル６の内側に配置されている。なお、ベゼル６内において、正面側から背面側にかけて、液晶パネル１、拡散装置２、バックライト装置３の順に配置されている。すなわち、拡散装置２は、液晶パネル１の背面側に配置されている。また、バックライト装置３は、拡散装置２の背面側に配置されている。
【００１５】
バックライト装置３には、複数の光源４が格子状に配置されている。また、バックライト装置３の端部には、受光部５が配置されている。本実施形態では、受光部５は、バックライト装置３の右下部に配置されている。
【００１６】
以下、バックライト装置３において受光部５を含む所定の一部エリア及び、液晶パネル１において当該エリアに対応するエリアを透過エリアＡと称する。透過エリアＡは、光源４の発光する光が受光部５における受信に影響を及ぼす領域である。本実施形態に示す例では、透過エリアＡは、受光部５と、受光部５から最も近い位置に配置されている４つの光源４とが配置されている領域である。
【００１７】
図２は、本実施形態における画像表示装置１００の機能構成を示したブロック図である。なお、本図において、図１に対応する構成には、同一の符号を付しており、その説明を省略する。図示するように、画像表示装置１００は、液晶パネル１と、バックライト装置３と、受光部５と、ＣＰＵ（Ｃｅｎｔｒａｌ  Ｐｒｏｃｅｓｓｉｎｇ  Ｕｎｉｔ；中央演算処理装置）１０１と、バックライト処理部１０２と、画像処理部１０３とを備える。なお、液晶パネル１と、バックライト装置３と、受光部５とを含む構成を液晶パネルユニット１０と呼ぶ。
【００１８】
ＣＰＵ１０１は、画像表示装置１００を統括して制御する制御部である。バックライト処理部１０２は、バックライト装置３が備える光源４の点灯および消灯の制御を行う。画像処理部１０３は、液晶パネル１の透過率を制御する。なお、バックライト処理部１０２による光源４の点灯および消灯の制御と、画像処理部１０３による液晶パネル１の透過率の制御により、液晶パネル１に画像を表示することができる。
【００１９】
また、ＣＰＵ１０１は、受光部５が赤外線信号を受信すると、バックライト装置３の透過エリアＡに配置されている光源４をバックライト処理部１０２に消灯させる。また、ＣＰＵ１０１は、受光部５が赤外線信号を受信すると、液晶パネル１の透過エリアＡに配置されている画素の透過率を画像処理部１０３に高くさせる。具体的には、ＣＰＵ１０１は、受光部５の受信した赤外線信号がリモコン７からのコマンド（操作信号）であると判定した場合に、バックライト処理部１０２及び画像処理部１０３に受光制御信号を出力する。バックライト処理部１０２は、受光制御信号を受信した場合、透過エリアＡに配置されている光源４を消灯させる。また、画像処理部１０３は、受光制御信号を受信した場合、液晶パネル１に配置されている画素のうち、透過エリアＡに配置されている画素の透過率を高くする。なお、本実施形態では、画像処理部１０３は、ＣＰＵ１０１から受光制御信号が入力されると、透過エリアＡに配置されている画素の透過率を最大にする。このように、透過エリアＡに配置されている光源４を消灯させ、透過エリアＡに配置されている画素の透過率を高くすることで、これにより、リモコン７が送信した赤外線信号を、減衰を抑えて受光部５まで到達させることができる。
【００２０】
また、ＣＰＵ１０１は、受光部５が操作の終了を示す終了コマンドを受信すると、液晶パネル１の透過エリアＡに配置されている画素の透過率の制御処理を通常の処理とする。また、ＣＰＵ１０１は、受光部５が操作の終了を示す終了コマンドを受信すると、バックライト装置３の透過エリアＡに配置されている光源４の点灯処理を通常の処理とする。具体的には、ＣＰＵ１０１は、受光部５の受信した赤外線信号がリモコン７からの操作の終了を示す終了コマンドであると判定した場合に、バックライト処理部１０２及び画像処理部１０３に受光解除信号を出力する。画像処理部１０３は、受光解除信号を受信した場合、液晶パネル１に配置されている画素のうち、透過エリアＡに配置されている画素の透過率の制御処理を通常の処理に戻す。また、バックライト処理部１０２は、受光解除信号を受信した場合、透過エリアＡに配置されている光源４の点灯処理を通常の処理に戻す。このように、透過エリアＡに配置されている光源４の点灯処理と、透過エリアＡに配置されている画素の透過率の制御処理とを通常の処理に戻すことで、液晶パネル１の透過エリアＡにおいても画像を表示することができる。
【００２１】
次に、本実施形態における画像表示装置１００の動作を説明する。図３は、本実施形態における画像表示装置１００が実行する制御処理の処理手順を示したフローチャートである。
【００２２】
（ステップＳ１０１）ＣＰＵ１０１は、リモコン７のキーが押下されたか否かを判定する。具体的には、ＣＰＵ１０１は、受光部５が受信した赤外線信号が、いずれかのコマンドを示す場合にはリモコン７のキーが押下されたと判定する。また、ＣＰＵ１０１は、受光部５が赤外線信号を受信していない場合や、受光部５が受信した赤外線信号がいずれのコマンドも示さない場合にはリモコン７のキーが押下されていないと判定する。リモコン７のキーが押下されたとＣＰＵ１０１が判定した場合には、ステップＳ１０２の処理に進む。また、リモコン７のキーが押下されていないとＣＰＵ１０１が判定した場合には、ステップＳ１０１の処理を再度実行する。
【００２３】
（ステップＳ１０２）ＣＰＵ１０１は、バックライト処理部１０２に受光制御信号を出力して、透過エリアＡに配置されている光源４を消灯させる。バックライト処理部１０２は、ＣＰＵ１０１から受光制御信号が入力されると、バックライト装置３の透過エリアＡに配置されている光源４を消灯する。その後、ステップＳ１０３の処理に進む。
【００２４】
（ステップＳ１０３）ＣＰＵ１０１は、画像処理部１０３に受光制御信号を出力して、透過エリアＡに配置されている画素の透過率を最大に固定させる。画像処理部１０３は、ＣＰＵ１０１から受光制御信号が入力されると、液晶パネル１の透過エリアＡに配置されている画素の透過率を最大にする。その後、ステップＳ１０４の処理に進む。
【００２５】
（ステップＳ１０４）ＣＰＵ１０１は、受光部５がリモコン７から受信したコマンドの処理を実行する。その後、ステップＳ１０５の処理に進む。
【００２６】
（ステップＳ１０５）ＣＰＵ１０１は、リモコン７の終了キーが押下されたか否かを判定する。具体的には、ＣＰＵ１０１は、受光部５が受信した赤外線信号が終了コマンドである場合にはリモコン７の終了キーが押下されたと判定する。また、ＣＰＵ１０１は、受光部５が受信した赤外線信号が終了コマンドではない場合には、リモコン７の終了キーが押下されていないと判定する。リモコン７の終了キーが押下されたとＣＰＵ１０１が判定した場合には、ステップＳ１０６の処理に進む。また、リモコン７の終了キーが押下されていないとＣＰＵ１０１が判定した場合には、ステップＳ１０４の処理に戻る。
【００２７】
（ステップＳ１０６）ＣＰＵ１０１は、画像処理部１０３に受光解除信号を出力して、透過エリアＡに配置されている画素の透過率の制御処理を通常の処理に戻す。画像処理部１０３は、ＣＰＵ１０１から受光解除信号が入力されると、液晶パネル１において透過率を最大にした透過エリアＡに配置されている画素の透過率の制御処理を通常の処理に戻す。その後、ステップＳ１０７の処理に進む。
【００２８】
（ステップＳ１０７）ＣＰＵ１０１は、バックライト処理部１０２に受光解除信号を出力して、透過エリアＡの光源４の点灯処理を通常の処理に戻す。バックライト処理部１０２は、ＣＰＵ１０１から受光解除信号が入力されると、バックライト装置３において消灯した透過エリアＡの光源４の点灯処理を通常の処理に戻す。その後、ステップＳ１０１の処理に戻る。
【００２９】
上述したとおり、本実施形態によれば、画像表示装置１００は、液晶パネル１と、バックライト装置３と、受光部５と、ＣＰＵ１０１と、バックライト処理部１０２と、画像処理部１０３とを備える。バックライト装置３は、液晶パネル１を背面から照射する光源４を有する。受光部５は、液晶パネル１よりも背面側に配置され、リモコン７から送信される赤外線信号を受信する。
【００３０】
このように、画像表示装置１００は、液晶パネル１の背面側に受光部５を配置しているため、ザイン上やナローベゼル（狭額縁）等の制約があったとしても、外部に受光部５を取り付ける必要がない。
【００３１】
また、バックライト処理部１０２は、バックライト装置３が有する光源４の点灯を制御する。画像処理部１０３は、液晶パネル１が有する画素の透過率を制御する。ＣＰＵ１０１は、受光部５が赤外線信号を受信すると、バックライト処理部１０２に光源４を消灯させ、画像処理部１０３に画素の透過率を高くさせる。
【００３２】
このように、画像表示装置１００は、リモコン７から赤外線信号を受信すると、光源４を消灯するとともに、画素の透過率を高くしている。従って、光源４の光の影響や液晶パネル１に表示される画像の影響を受けずに、安定してリモコン操作を受け付けることができる。また、画素の透過率を高くする際には、画素の透過率を最大にするようにしてもよい。これにより、リモコン７から送信される赤外光の透過率もより高くなり、より安定してリモコン操作を受け付けることができる。
【００３３】
例えば、液晶パネル１の透過率は表示される画像によって変化し、液晶パネル１に表示される画像によっては透過エリアＡの画素の透過率が低くなる。また、透過エリアＡの画素の透過率が低くなった場合、リモコン７から送信される赤外光の透過率も低くなる。従って、光源４を消灯する制御のみを行った場合には、安定してリモコン操作を受け付けることができないおそれがある。また、液晶パネル１の画素の透過率を高くする制御のみを行った場合には、光源４の赤外線成分の影響によって受光部５の受信感度が下がり、安定してリモコン操作を受け付けることができないおそれがある。
【００３４】
また、本実施形態では、リモコン７のキーが押された場合、透過エリアＡに配置されている光源４を消灯した後に、透過エリアＡに配置されている画素の透過率を高くしている。そのため、本実施形態では、透過エリアＡの表示が不自然に白い表示となることが無く、不自然な動作が行われないようにすることができる。例えば、画素の透過率を高くした後に光源４を消灯すると、画素の透過率を高くしてから光源４を消灯するまでの間、透過エリアＡの表示は光源４の可視光で白い表示となり、不自然な動作となる。
【００３５】
また、本実施形態では、透過エリアＡの処理を通常の処理に戻す際には、透過エリアＡに配置されている画素の透過率の制御処理を通常の処理に戻した後に、透過エリアＡに配置されている光源４の点灯処理を通常の処理に戻している。そのため、本実施形態では、透過エリアＡの表示が不自然に白い表示となることが無く、不自然な動作が行われないようにできる。例えば、光源４の点灯処理を通常の処理に戻した後に画素の透過率の制御処理を通常の処理に戻すと、光源４の点灯処理を通常の処理に戻してから画素の透過率の制御処理を通常の処理に戻すまでの間、透過エリアＡの表示は光源４の可視光で白い表示となり、不自然な動作となる。
【００３６】
また、本実施形態によれば、ＣＰＵ１０１は、リモコン７のキーが押された場合、複数の光源４のうち、発光する光が受光部５における受信に影響を及ぼす透過エリアＡに配置されている光源４のみをバックライト処理部１０２に消灯させる。また、ＣＰＵ１０１は、リモコン７のキーが押された場合、液晶パネル１が有する複数の画素のうち、透過エリアＡに配置されている画素のみの透過率を画像処理部１０３に高くさせる。
【００３７】
このように、画像表示装置１００は、リモコン操作を受け付ける際には、バックライト装置３が有する複数の光源４及び液晶パネル１が有する複数の画素のうち、透過エリアＡに配置されているもののみを制御している。従って、画送表示装置１００は、リモコン操作を受け付ける際に表示している画像が全て消えてしまうなどの不自然な動作を防ぐことができる。
【００３８】
（第２の実施形態）
次に、本発明の第２の実施形態について説明する。なお、第２の実施形態において、第１の実施形態と対応する構成には同一の符号を付しており、その説明を省略する。
【００３９】
図４は、本実施形態における画像表示装置２００の機能構成を示したブロック図である。図示するように画像表示装置２００は、液晶パネル１と、バックライト装置３と、受光部５と、制御部２０１とを備える。なお、液晶パネル１と、バックライト装置３と、受光部５の配置は、第１の実施形態と同様の配置である。すなわち、受光部５はバックライト装置３上に配置されている。また、受光部５は、画像表示装置２００内において、液晶パネル１よりも背面側に配置されている。また、透過エリアＡも第１の実施形態と同様である。
【００４０】
制御部２０１は、画像表示装置２００を統括して制御する。また、制御部２０１は、受光部５が赤外線信号を受信すると、バックライト装置３の透過エリアＡに配置されている光源４を消灯する。また、制御部２０１は、受光部５が赤外線信号を受信すると、液晶パネル１の透過エリアＡに配置されている画素の透過率を高くする。また、制御部２０１は、受光部５の受信した赤外線信号がリモコン７からの操作の終了を示す終了コマンドであると判定した場合、液晶パネル１の透過エリアＡに配置されている画素の透過率の制御処理を通常の処理とする。また、制御部２０１は、受光部５の受信した赤外線信号がリモコン７からの操作の終了を示す終了コマンドであると判定した場合、バックライト装置３の透過エリアＡに配置されている光源４の点灯処理を通常の処理とする。
【００４１】
このように、画像表示装置２００は、リモコン７から赤外線信号を受信すると、光源４を消灯するとともに、画素の透過率を高くしているため、光源４の光の影響や液晶パネル１に表示される画像の影響を受けずに、安定してリモコン操作を受け付けることができる。
【００４２】
なお、上述した第１の実施形態における画像表示装置１００および第２の実施形態における画像表示装置２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４４】
以上、本発明の実施形態について説明したが、本発明は、上記実施形態に限定されるものではなく、本発明の趣旨を逸脱しない範囲において種々の変更を加えることが可能である。
【００４５】
例えば、上述した実施形態では、リモコン７の終了キーが押下された場合に、透過エリアＡの処理を通常の処理に戻しているが、これに限らず、所定の条件が成立した場合に透過エリアＡの処理を通常の処理に戻すようにしてもよい。例えば、受光部５が一定時間リモコン７から赤外線信号を受信していない場合に、透過エリアＡの処理を通常の処理に戻すようにしてもよい。
【００４６】
また、上述した実施形態では、リモコン７のキーが押下された場合には、透過エリアＡの画素の透過率を最大にしたが、これに限らない。例えば、リモコン７のキーが押下された場合には、透過エリアＡの画素の透過率を、少なくとも通常の処理のときよりも高くするようにしてもよい。
【００４７】
また、上述した実施形態では、受光部５をバックライト装置３の右下部に配置しているが、これに限らない。例えば、受光部５をバックライト装置３の左下部や中央部など、どの位置に配置してもよい。
【００４８】
また、例えば、上述した実施形態では、受光部５をバックライト装置３上に配置しているが、これに限らない。例えば、受光部５は、液晶パネル１よりも背面側、かつバックライト装置３よりも前面側のどの位置に配置してもよい。
【符号の説明】
【００４９】
１・・・液晶パネル、２・・・拡散装置、３・・・バックライト装置、４・・・光源、５・・・受光部、６・・・ベゼル、７・・・リモコン、１０・・・液晶パネルユニット、１００，２００・・・画像表示装置、１０１・・・ＣＰＵ、１０２・・・バックライト処理部、１０３・・・画像処理部、２０１・・・制御部
【図１】
2016197801.tif 000003
【図２】
2016197801.tif 000004
【図３】
2016197801.tif 000005
【図４】
2016197801.tif 000006